(57)【要約】【課題】フォワードエラー訂正により提供される情報を使用することにより、信号等化のための制御信号の生成を単純化する。【解決手段】フィードフォワードイコライザの手段により送信されたビットストリームの信号を等化する方法が提供される。信号は、少なくとも２つのコンポーネントに分解され、これらのコンポーネントは、等化されたコンポーネントを形成するために、等化パラメータと乗算される。等化されたコンポーネントは、等化された信号を形成するためにスーパーポーズされる。先行するビットおよび後続のビットに依存して、誤りのある送信ビットをカウントすることによるコンディショナルビットエラーレートが決定される。等化パラメータは、決定されたコンディショナルビットエラーレートに依存して調節される。【選択図】　図２
2004129107.tif 000002
【特許請求の範囲】
【請求項１】
フィードフォワードイコライザの手段により送信されたビットストリームの信号を等化する方法であって、
前記信号を少なくとも２つのコンポーネントに分解するステップと、
等化されたコンポーネントを形成するために、前記コンポーネントを等化パラメータと乗算するステップと、
前記等化されたコンポーネントのスーパーポジションにより、等化された信号を合成するステップとを有するものにおいて、
先行するビットおよび後続のビットに依存して、誤りのある送信ビットをカウントすることにより、コンディショナルビットエラーレートを決定するステップと、
決定されたコンディショナルビットエラーレートに依存して、前記等化パラメータを調節するステップとを有する
ことを特徴とする方法。
【請求項２】
前記信号を合成するステップは、前記信号を少なくとも３個のコンポーネントに分解するステップを含み、前記少なくとも３個のコンポーネントは、互いに遅延させられ、前記等化パラメータを調節するステップは、前記パラメータを独立に調節するステップを含む
ことを特徴とする請求項１記載の方法。
【請求項３】
前記調節するステップは、トータルビットエラーレートにより前記等化パラメータの変化量を制御するステップを含む
ことを特徴とする請求項１または２記載の方法。
【請求項４】
前記決定するステップは、先行するビットの値が誤りのある送信ビットの値と等しいときの第１のコンディショナルエラーレートを決定するステップと、
先行するビットの値が誤りのある送信ビットの値と異なるときの第２のコンディショナルエラーレートを決定するステップと、
後続のビットの値が誤りのある送信ビットの値と等しいときの第３のコンディショナルエラーレートを決定するステップと、
後続のビットの値が誤りのある送信ビットの値と異なるときの第４のコンディショナルエラーレートを決定するステップとを含む
ことを特徴とする請求項２または３記載の方法。
【請求項５】
前記調節するステップは、前記第４のコンディショナルエラーが前記第３のコンディショナルエラーより小さい場合、前記３個の信号の内の最小の遅延を有する信号と乗算されるべきパラメータを増大させ、前記第４のコンディショナルエラーが前記第３のコンディショナルエラーより大きい場合、前記パラメータを減少させ、前記第２のコンディショナルエラーが前記第３のコンディショナルエラーより小さい場合、前記３個の信号のうち最大の遅延を有する信号と乗算されるべきパラメータを増大させ、前記第２のコンディショナルエラーが前記第１のコンディショナルエラーより大きい場合、前記パラメータを減少させるステップを含む
ことを特徴とする請求項４記載の方法。
【請求項６】
フィードフォワードイコライザを含む送信されたビットストリームの信号を等化するように適合された受信機であって、前記イコライザは、前記信号を少なくとも２つのコンポーネントに分解する分解手段と、前記コンポーネントを独立に調節可能な等化係数と乗算する乗算手段と、等化された信号を形成するために前記コンポネントをスーパーインポーズするスーパーインポーズ手段とを有するものであって、誤りのある送信ビットを検出するように適合されたフォワードエラー訂正手段と、先行するビットおよび後続のビットに依存して、誤りのある送信ビットをカウントすることによりコンディショナルビットエラーレートを決定するコンディショナルエラーカウンタと、前記コンディショナルビットエラーレートに依存して、前記等化係数を調節するように適合された調節手段とを有する
ことを特徴とする受信機。
【請求項７】
前記分解する手段は、前記少なくとも２つのコンポーネントを互いに時間的に遅延させるための遅延手段を含む
ことを特徴とする請求項６記載の受信機。
【請求項８】
前記調節する手段は、トータルビットエラーレートを得る手段と、トータルビットエラーレートに依存して、前記等化パラメータの変化量を制御するための手段とを含む
ことを特徴とする請求項６または７記載の受信機。
【請求項９】
信号が、３個のコンポーネントに分解され、前記コンディショナルエラーカウンタは、
先行するビットの値が誤りのある送信ビットの値と等しいときの誤りのある送信ビットの第１のコンディショナルエラーレートと、
先行するビットの値が誤りのある送信ビットの値と異なるときの誤りのある送信ビットの第２のコンディショナルエラーレートと、
後続のビットの値が誤りのある送信ビットの値と等しいときの誤りのある送信ビットの第３のコンディショナルエラーレートと、
後続のビットの値が誤りのある送信ビットの値と異なるときの誤りのある送信ビットの第４のコンディショナルエラーレートとを決定する
ことを特徴とする請求項７または８記載の受信機。
【請求項１０】
前記調節手段は、前記第４のコンディショナルエラーが前記第３のコンディショナルエラーより小さい場合、前記少なくとも２つの信号のうちの最小の遅延を有する信号と乗算されるべきパラメータを増大させ、前記第４のコンディショナルエラーが前記第３のコンディショナルエラーより大きい場合、前記パラメータを減少させ、前記第２のコンディショナルエラーが前記第３のコンディショナルエラーより小さい場合、前記３個の信号のうちの最大の遅延を有する信号と乗算されるべきパラメータを増大させ、前記第２のコンディショナルエラーが前記第１のコンディショナルエラーより大きい場合、前記パラメータを減少させる
ことを特徴とする請求項９記載の受信機。
【発明の詳細な説明】
【０００１】
【発明の属する技術分野】
本発明は、フィードフォワードイコライザを含む信号受信ユニットにおける信号等化のための方法に係り、特に、受信信号を等化するために使用される等化パラメータの調節、および調節方法を実行するように適合されたフィードフォワードイコライザに関する。
【０００２】
【従来の技術】
光ファイバ長の高ビットレートでの長距離伝送システムにおいて、受信機におけるアイオープニング（ｅｙｅ　ｏｐｅｎｉｎｇ）を減少させる信号歪み効果が起きる。歪みは、ＧＶＤ（ｇｒｏｕｐ　ｖｅｌｏｃｉｔｙ　ｄｉｓｐｅｒｓｉｏｎ）、ＰＭＤ（ｐｏｌａｒｉｚａｔｉｏｎ　ｍｏｄｅ　ｄｉｓｐｅｒｓｉｏｎ）、送信機チャープ、消光比（ｅｘｔｉｎｃｔｉｏｎ　ｒａｔｉｏ）またはファイバの非線形性によりもたらされるシンボル間干渉（ＩＳＩ）のような線形または非線型効果によりうる。これらの効果は、受信機におけるアイオープニングを減少させ、これにより、許容可能な光信号対雑音比（ＯＳＮＲ）を低減させ、光増幅システムに決定的となる。
【０００３】
光受信機において、光パワーは、電気信号に逆変換される。デジタルデータおよびサンプリングクロック位相は、クロックおよびデータディカバリー回路（ＣＤＲ）の手段によりアナログ信号から得られなければならない。
【０００４】
ＣＤＲ回路における信号品質を改善するために、適応等化を適用することが知られている。よく知られた適応イコライザは、伝送チャネルの補償（ｃｏｍｐｅｎｓａｔｉｏｎ）のためのフィードフォワードイコライザ（ＦＦＥ）である。ＦＦＥにおいて、信号は、タップド遅延線の重み付け加算の手段により等化される。
【０００５】
タップ重みの適用は、アナログ信号についての情報を必要とする。この情報は、チャネルモデルを推定するために使用され、および／またはイコライザパラメータの計算のためのものである。
【０００６】
フルスピードアナログデジタル変換（ＡＤＣ）またはより低速で動作する追加のＡＤＣを有するサンプルアンドホールド回路を使用することが、この技術分野において知られている。
【０００７】
タップ重みを決定する代替的な方法は、追加的な可変しきい値における擬似（ｐｓｅｕｄｏ）エラーの測定に基づく。制御アルゴリズムは、例えば、最小二乗アルゴリズム（ＬＭＳ）または改良の方向の混乱（ｄｉｔｈｅｒｉｎｇ）および評価による決定手順の手段により等価パラメータを変更および適合させなければならない。
【０００８】
制御信号の生成についての、主要な問題点は、アナログ信号をサンプルするための高速サンプルホールド回路の実現、または現在のしきい値の排他的論理和関数（ｅｘｃｌｕｓｉｖｅ−ｏｒ−ｆｕｎｃｔｉｏｎ）を伴う追加のしきい値として理解されうる「アイモニター（ｅｙｅ　ｍｏｎｉｔｏｒ）」の具現化である。排他的論理和ゲート（ＥＸＯＲ−ｇａｔｅ）においてカウントされる出力パルスは、異なる決定の数に対応する。これらの並列コンパレータ構造は、アナログ信号の生成が、回路の様々な規制（ｐａｒａｓｉｔｉｃ）要素により常に歪まされるので、性能低下を常に示す。その代わりに擬似エラーカウンターを使用することは、データレートが２倍になり、出力インタフェースの電力消費を増大させるので、不都合である。
【０００９】
送信させるデータストリームは、フォワードエラー訂正コード（ＦＥＣ）を含むことができ、これは、光または電気的ノイズおよびクロストークからの確率的歪み（ｓｔｏｃｈａｓｔｉｃ　ｄｉｓｔｏｒｔｉｏｎｓ）を減少させることにより、所与の信号対雑音比（ＳＮＲ）に対するビットエラーレート（ＢＥＲ）を改善する。高ビットレート伝送に対して、ＦＥＣは、長距離伝送における許容可能なＳＮＲを増大させることにますます成熟したものとになっている。フォワードエラー訂正に対するエンコーディングにおいて、エラーが遠端（ｆａｒ　ｅｎｄ）において検出および訂正され得るように、冗長ビットがビットストリームに加えられる。加えられるビットの数は、信号ビットの数と等しい可能性があり、これは、所与のチャネルに対するデータ伝送レートを２倍にする。しかし、多くの場合において、ＦＥＣを使用することによる冗長性伝送は、補償された低エラーレートのために有利である。
【００１０】
ソネット／ＳＤＨデジタルラッパーフォーマット（Ｓｏｎｅｔ／ＳＤＨ　ｄｉｇｉｔａｌ　ｗｒａｐｐｅｒ　ｆｏｒｍａｔｓ）にフィットするいわゆるインバンド（ｉｎ　ｂａｎｄ）またはアウトバンド（ｏｕｔ　ｂａｎｄ）、ＢＣＨ（Ｂｏｓｅ−Ｃｈａｕｄｈｕｒｙ−Ｈｏｅｑｕｅｎｇｈｅｅｎ）またはＲＳ（Ｒｅｅｄ−Ｓｏｌｏｍｏｎ）コードのような異なるＦＥＣコーディングスキームが使用される。データストリームの入力エラーレートが、それぞれのエラー訂正コードのエラー訂正能力より低い場合、ビットエラーは、訂正されることができ、ビットエラー比（ＢＥＲ）の推定値は、それぞれのＦＥＣデコーディングスキームからの追加的な情報を使用することにより測定されうる。具体的には、訂正されうるエラーの数は、（ｄ−１）／２となり、ここで、ｄは、それにより特定のコードに対するコードワードが異なるビット位置の最小数（ハミング距離（Ｈａｍｍｉｎｇ　ｄｉｓｔａｎｃｅ））である。
【００１１】
【発明が解決しようとする課題】
本発明の目的は、フォワードエラー訂正により提供される情報を使用することにより、信号等化のための制御信号の生成を単純化することである。
【００１２】
【課題を解決するための手段】
新規な解決法が、独立形式の請求項において定義されている。請求項１によれば、フィードフォワードイコライザの手段による送信されるビットストリームの信号等化の方法が提供され、これは、信号を少なくとも２つのコンポーネントに分解するステップと、等化されたコンポーネントを形成するために、そのコンポーネントを等化パラメータと乗算するステップと、等化されたコンポネントのスーパーポジション（ｓｕｐｅｒｐｏｓｉｔｉｏｎ）により１つの等化された信号を合成するステップと、先行するビットおよび後続のビットに依存して、誤りのある送信ビットをカウントすることにより、コンディショナル（ｃｏｎｄｉｔｉｏｎａｌ）ビットエラーレートを推定するステップと、推定されたコンディショナルビットエラーレートに依存して、等化パラメータを調節するステップとを含む。
【００１３】
パラメータまたは係数は、正または負である可能性があり、送信信号のアイオープニングを最大化するように調節される。
【００１４】
好ましい実施形態によれば、信号は少なくとも３個のコンポーネントに分解され、それらは、互いに遅延させられ、独立に調節可能なパラメータまたは係数と乗算され、そして、等化された信号を形成するために、スーパーインポーズ（ｓｕｐｅｒｉｍｐｏｓｅｄ）される。したがって、信号を分解するステップは、互いに遅延させられた少なくとも３個のコンポーネントに信号を分解するステップを含み、等化パラメータを調節するステップは、パラメータを独立に調節するステップを含む。
【００１５】
全体的なＢＥＲに依存して、パラメータをさらに適合または調節することは好都合である。具体的には、高いＢＥＲが検出される場合、パラメータの変化は、適応速度を増大させるために、拡大される。そして、パラメータの適応速度または変化は、低いＢＥＲが検出される場合、小さくなりうる。したがって、等化パラメータを調節するステップが、検出されるビットエラーレートに依存して、パラメータの量を変化させる、特に、高いビットエラーレートが検出される場合、量を増大させ、低いビットエラーレートが検出される場合、量を増大させるステップを含む方法が提供される。
【００１６】
容易に具現化可能な実施形態によれば、コンディショナルビットエラーレートは、隣接する先行するビットおよび後続のビットに対して決定される。これらの３つのビット（先行するビット、中心のビット、および後続のビット）を考慮して、８個の異なるビットパターンが可能である。好ましくは、３個のビットの４セットが形成されうる。第１のセットおよび第２のセットは、３個のビットにより定義され、先行するビットおよび中心のビットは、それぞれ等しいかまたは異なる。同様に、第３および第４のセットは３個のビットにより定義され、中心のビットおよび後続のビットは、それぞれ等しいかまたは異なる。コンディショナルエラーレートは、中心のビットの検出されたエラーに関して推定され、３個のビットの上述した４セットに割り当てられ得る。信号は、互いに遅延させられた３個のコンポーネントまたは信号に分割される。好ましくは、信号遅延は、クロックサイクルに等しい。
【００１７】
ＦＦＥにおいて、信号は、パラメータまたは係数と独立に乗算され、乗算の後に、量子化された信号を形成するためにスーパーインポーズされる。最小の遅延を有する第１の送信された信号と乗算されるべき係数は、ビットの第３のセットの中心ビットのエラーレートが、ビットトリプル（ｂｉｔ　ｔｒｉｐｌｅｓ）　の第４セットのエラーレートの中心ビットより小さい場合、減少させられ、第１セットにおけるエラーレートが第２セットにおけるエラーレートを超える場合、増大させられる。
【００１８】
したがって、最大の遅延を有する最後に送信される信号と乗算されるべき係数は、ビットの第１セットの中心ビットのエラーレートが、ビットトリプルの第２セットの中心ビットエラーレートより小さい場合、減少させられ、第１セットにおけるエラーレートが第２セットにおける中心ビットエラーレートを超える場合、増大させられる。換言すれば、コンディショナーエラーが、上記で定義されたビットトリプルのセットの各々に割り当てられる。ビットトリプルの第１セットおよび第２セットに割り当てられるコンディショナルエラーの差が負である場合、最大の遅延を有する信号またはコンポーネントの係数は、増大させられる。差が正になると、係数が減少させられる。また、最大遅延を有する係数と乗算されるべき係数が、減少させられる。
【００１９】
好ましい実施形態によれば、分解するステップが、信号を３個のコンポーネントに分解するステップを含む方法が提供される。また、推定するステップは、先行するビットの値が誤りのある送信ビットの値と等しいものであるときの第１のコンディショナルエラーレートを決定するステップと、先行するビットの値が誤りのある送信ビットの値と異なるときの第２のコンディショナルエラーレートを決定するステップと、後続のビットの値が誤りのある送信ビットの値と等しいときの第３のコンディショナルエラーレートを決定するステップと、後続のビットの値が誤りのある送信ビットの値と異なるときの第４のコンディショナルエラーレートを決定するステップとを含む。
【００２０】
パラメータを調節するステップは、第４のコンディショナルエラーが第３のコンディショナルエラーより小さい場合、３個の信号の内の最小の遅れを有する信号と乗算されるべきパラメータを増大させ、第４のコンディショナルエラーが第３のコンディショナルエラーより大きい場合、前記のパラメータを減少させるステップを含む。同様に、第２のコンディショナルエラーが第３のコンディショナルエラーより小さい場合、３個の信号のうち最大の遅れを有する信号と乗算されるべきパラメータが増大され、第２のコンディショナルエラーが第１のコンディショナルエラーより大きい場合、減少させられる。
【００２１】
本発明は、フィードフォワードイコライザを含む送信されたビットストリームの信号を等化するように適合された受信機のプロビジョンを意図する。イコライザは、信号を少なくとも２つのコンポーネントに分解するための分解手段と、これらのコンポーネントを独立に調節可能な等化係数と乗算するための乗算手段と、１つの等化された信号を形成するために、これらのコンポーネントをスーパーインポーズするためのスーパーインポーズ手段とを含み、イコライザには、さらに、誤りのある送信ビットを検出するように適合されたフォワードエラー訂正手段と、先行するビットおよび後続のビットに依存して誤りのある送信ビットをカウントすることにより、コンディショナルビットエラーレートを決定するコンディショナルエラーカウンタと、コンディショナルビットエラーレートに依存して、等化係数を調節するように適合された調節手段とが備えられる。
【００２２】
好ましい実施形態によれば、分解手段は、前記少なくとも２つのコンポーネントを互いに時間的に遅延させるための遅延手段をさらに含む。
【００２３】
受信機は、トータルビットエラーレートを得るための手段と、トータルビットエラーレートに依存して等化パラメータの変化量を制御するための手段とを含む場合、好都合に改良されうる。好ましい実施形態によれば、信号は３個のコンポーネントに分解され、コンディショナルエラーカウンタは、誤りのある送信ビットの第１のコンディショナルエラーレートを決定し、ここで先行するビットの値は、誤りのある送信ビットの値と等しく、誤りのある送信ビットの第２のコンディショナルエラーレートを決定し、ここで、先行するビットの値は誤りのある送信ビットの値と異なり、誤りのある送信ビットの第３のコンディショナルエラーレートを決定し、ここで、後続のビットの値は、誤りのある送信ビットの値と等しく、そして誤りのある送信ビットの第４のコンディショナルエラーレートを決定し、ここで、後続のビットの値は、誤りのある送信ビットの値と異なる。
【００２４】
第４のコンディショナルエラーが第３のコンディショナルエラーより小さい場合、３個の信号の内の最小の遅れを有する信号と乗算されるべきパラメータを増大させ、第４のコンディショナルエラーが第３のコンディショナルエラーより大きい場合、このパラメータを減少させ、第２のコンディショナルエラーが第３のコンディショナルエラーより小さい場合、３個の信号のうち最大の遅れを有する信号と乗算されるべきパラメータを増大させ、第２のコンディショナルエラーが第１のコンディショナルエラーより大きい場合、このパラメータを減少させることが好都合である。
【００２５】
【発明の実施の形態】
図１は、光伝送チャネル１のコンポーネントを示す。このチャネルは、送信機２を含み、これは、ＦＥＣのためのデータストリームをエンコードするためのエンコーダ２１、および光伝送のために電気信号を変換するための電気光コンバータ２２を含む。エンコードされかつ変換されたデータストリームは、光ファイバを介して伝送される。受信機４は、受信された光信号からデータを得る。データを得るために、受信された光信号は、コンバータ４１の手段により、電気信号に逆変換される。
【００２６】
また、受信信号からクロックサンプリング位相を得ることが必要であり、これは、一般に、クロックデータリカバリ回路の４３の手段により実行される。データは、デコーダにおいて回復され、そこでは、変換されたアナログ信号が、信号しきい値または決定しきい値および回復されたクロックサンプル位相の手段により、ビットストリームにデジタル化される。最後に、デコーディングスキームが、ビットストリームに適用され、エンコーダ２１によりＦＥＣ符号化されたデータを得る。
【００２７】
しかし、エンコードされたビットストリームは、伝送ラインにおいて生じた雑音または光伝送および回路が関係する非線形性により生じた歪みによるビットエラーを含みうる。ビットエラーの数が、ＦＥＣコーディングにより追加される冗長性に依存する所定数を超えない場合、ビットエラーは訂正されうる。
【００２８】
信号品質は、伝送により待たされた信号歪みを少なくとも部分的に補償し、受信信号のアイオープニングを最大化するために、フィードフォワードイコライザ４２を挿入することにより増大されうる。
【００２９】
ＦＦＥの概略を示す図２を参照する。この実施形態において、入力信号は、入力信号ライン１０からタップされるタップ３６，３８，４０，４２および４４の手段により、５個の信号またはコンポーネントに分割される。これらの信号は、タップ間に配置された遅延線１４，１６，１８および２０の手段により、互いに遅延させられる。これらの信号の各々の前には、乗算手段２４，２６，２８，３０および３２が置かれ、ここで、信号は、ファクタまたは係数ｃ−２，ｃ−１，ｃ０，ｃ１およびｃ２により独立に乗算または重み付けされる。重み付けされたコンポーネントのスーパーポジションが、スーパーインポージング手段３４により生成され、出力ライン１２に送られる。
【００３０】
一般に、入力信号の歪みは、時間的に一定ではない。したがって、係数は、最適な等化を達成するように適合化される必要がある。パラメータの調節の方向および量は、コンディショナルビットエラーレートにより決定される。この目的のために、コンディショナルビットエラーカウンタが、図１に示されているように、受信機４のデコーダ４４中に設けられる。
【００３１】
一般に、コンディショナルビットエラーレートは、送信されるビットパターンにさらに依存する。図３は、検出される振幅に依存するビットパターンのコンディショナル確率密度を示す。決定しきい値における８個の異なるビットトリプルに対するコンディショナル確率密度は、中心ビットの誤りのあるビット伝送の確率を示す。確率密度分布は、正規化された信号分布を示すパターン依存し得るが、伝送ラインの特性により生じる信号雑音および様々な歪みのために、ビットパターンの各々に対する信号振幅の歪みを受ける。ビット値は、振幅が決定しきい値を超える場合、「１」として同定され、振幅がしきい値より低い場合、「０」として同定される。図３に示されたグラフから分かるように、ビットパターン０１０および１０１は、決定しきい値における最大の確率密度を有し、これらのパターンの中心ビットが、８個の異なるビットトリプルのうち最大のエラー確率を有させる。
【００３２】
図４は、歪んだ信号のアイダイヤグラムを示す。最適なアイダイヤグラムと比べて、歪みは、１から０への変化およびその逆におけるビットパターン依存の偏差を生じる。したがって、本発明による等化パラメータの調節は、アイオープニング６８が最大化されるように信号を等化することを目的とする。理想的には、アイオープニングは、最大振幅と同じ大きさにならなければならない。結果として、信号波形は、変化０１０，１１０，０１１および１１１並びに変化０００，１００，００１および１０１に対する信号振幅が、ＣＤＲ回路により決定されたサンプリングポイント６６において一致するように、変化される。
【００３３】
図３において、この目標は、各ビットパターンに対する確率密度が決定しきい値において０になるように、コンディショナル確率密度の幅の最小化を行うことと等価である。
【００３４】
図５は、ＦＦＥが３個のタップを含む場合の、３個のパラメータｃ−１，ｃ０およびｃ１を調節するために適したコンディショナルエラーカウンタ４６の動作を示す。
【００３５】
ルックアップテーブル４８は、８個の異なるビットトリプルを示す。コンディショナルエラーカウンタ４６は、カウンタ５０を含み、ここでは、４個のコンディショナルエラーレートが、レジスタ５２，５４，５６および５８に格納される。図５において、コンディショナルエラーは、（ｃ，ｃ，ｎ）（ＮＯＴｃ，ｃ，ｎ）（ｐ，ｃ，ｃ）および（ｐ，ｃ，ＮＯＴｃ）として示され、ここで、ｐ，ｃおよびｎは、それぞれ、以前のビット、訂正されたビット、次のビットを示す。
【００３６】
具体的には、（ｃ，ｃ，ｎ）は、エラーを含み、ここで、ビットトリプルの中心ビットの伝送エラーが起こり、訂正され、ここで、以前のビット値が、訂正されたビットの値と等しい。訂正されたビットの値は、意図された即ち訂正された値をさすが、誤りのある伝送により誤って決定された値を指すものでない。したがって、（ＮＯＴｃ，ｃ，ｎ）は、エラーを示し、ここで、以前のビット値は、訂正された中心ビットの値と異なる。同様に、（ｐ，ｃ，ｃ）および（ｐ，ｃ，ＮＯＴｃ）は、ビットトリプルを示し、ここで、次のビット値は、それぞれ等しいかまたは異なる。
【００３７】
図５において、ルックアップテーブル中に示されたビットトリプルのレジスタ５２，５４，５６および５８への割当ては、接続ライン６０の手段により示されている。例えば、ビットトリプル（１，１，０）の中心ビットが訂正された場合、レジスタ５２および５８は、インクリメントされることになる。所定時間の後、例えば、所定数のクロックサイクルの後、レジスタ５２ないし５８が、評価されかつクリアされる。
【００３８】
そして、パラメータ即ち係数ｃ−１，ｃ０およびｃ１が、以下に示されるようにアイオープニングを最大化するために、コンディショナルエラーの差に依存して、適合即ち調節されなければならい。訂正された（ｃ，ｃ，ｎ）トリプルの数が訂正された（ＮＯＴｃ，ｃ，ｎ）トリプルの数より小さい場合、係数ｃ１は、減少されなければならない。逆の場合において、第１の数が後者を超える場合、ｃ１は増大されることになる。同様に、訂正された（ｐ，ｃ，ｃ）トリプルの数が訂正された（ｐ，ｃ，ＮＯＴｃ）トリプルの数より小さい場合、係数ｃ−１は、減少されることになり、第１の数が後者を超える場合、増大されることになる。
【００３９】
図６Ａおよび６Ｂは、コンディショナルビットエラーレートに依存して等化パラメータを適合かまたは調節するメカニズムを示す。レジスタ５２ないし５８の内容は、回路６２に渡され、ここで、レジスタの内容は、係数ｃ−１およびｃ１を低くするまたは高くするためにカウンタバランスされる。レジスタ５２または５６中で加算される伝送エラーは、ｃ１またはｃ−１をそれぞれ高くする傾向にある。レジスタ５８または５４において加算されるエラーは、逆方向に加えられ、したがって、それぞれｃ１またはｃ−１を低くする傾向にある。
【００４０】
回路６２，６３は、レジスタ５２ないし５８に含まれるビットエラーレートまたは数を、非線形的にカウンタバランスする。特に、係数の変化は、ＢＥＲにより影響を受け、これは、レジスタ中に格納された数に黙示的に含まれる。具体的には、ほぼエラーのない伝送は、小さな変化を生じさせるが、大きな変化が、大きなエラーレートにより引き起こされる。
【００４１】
変化は、積分回路６４，６５により処理され、係数ｃ１およびｃ−１を得る。タップ重みは、係数またはタップ重みのうちの１個以上が変化される場合、一定信号振幅を維持するために、さらに正規化されうる。
【００４２】
図７Ａにおいて、等化の前の歪んだ信号の測定されたアイダイヤグラムが示されている。信号は、光伝送、電気信号からまた電気信号への変換およびローパスフィルタにより歪まされる。
【００４３】
図７Ｂは、本発明によるビットエラーレートコントロールされた等化パラメータの手段により、等化の後の同じ信号の測定されたアイダイヤグラムを示す。時間および振幅は、相対的な単位で示されている。図７Ａおよび７Ｂの比較から明らかなように、アイオープニングは、等化の後に大幅に大きくなっている。また、信号は、等化の前に、サンプリングポイントにおいて異なる信号振幅を示すが、サンプリングポイントにおける信号振幅は、送信された０（約−０．７５）および１（約＋０．７５）に割り当てられた振幅値の周りにほぼ集中化される。
【００４４】
以上の説明は、本発明の一実施例に関するもので、この技術分野の当業者であれば、本発明の種々の変形例を考え得るが、それらはいずれも本発明の技術的範囲に包含される。尚、特許請求の範囲に記載した参照番号がある場合は、発明の容易な理解のためで、その技術的範囲を制限するよう解釈されるべきではない。
【００４５】
【発明の効果】
本発明によれば、フォワードエラー訂正により提供される情報を使用することにより、信号等化のための制御信号の生成を単純化することができる。
【図面の簡単な説明】
【図１】光伝送チャネルのスキームを示す図。
【図２】本発明の好ましい実施形態によるフィードフォワードイコライザを示す模式図。
【図３】検出された振幅に依存するビットパターンのコンディショナル確率密度を示す図。
【図４】歪んだ信号のアイダイヤグラムを示す図。
【図５】３個のパラメータを調節するために適したコンディショナルエラーカウンタを示す図。
【図６】コンディショナルビットエラーレートに依存して等化パラメータを適合または調節するメカニズムを示す図。
【図７】等化の前の測定されたアイダイヤグラムおよび本発明により等化の後の測定されたアイダイヤグラムを示す図。
【符号の説明】
１　光伝送チャネル
２　送信機
４　受信機
２１　エンコーダ
２２　電気光コンバータ
４１　光電気コンバータ
４３　クロックデータリカバリ回路
１０　入力ライン
１２　出力ライン
１４，１６，１８，２０　遅延線
２４，２６，２８，３０，３２　乗算手段
３４　インポージング手段
【図１】
2004129107.tif 000003
【図２】
2004129107.tif 000004
【図３】
2004129107.tif 000005
【図４】
2004129107.tif 000006
【図５】
2004129107.tif 000007
【図６】
2004129107.tif 000008
【図７】
2004129107.tif 000009